(57)【要約】【課題】消費電力を十分に抑制することができる画像読取装置を提供する。【解決手段】本発明の画像読取装置は、原稿を収容する収容部における原稿の有無を検出する第１センサと、原稿の搬送路と、搬送路を搬送される原稿から画像を読み取る読取部と、画像が読み取られる位置の近傍で原稿の有無を検出する第２センサとを備える。画像読取装置は、複写等の処理の開始指示を受け付けた場合に、第１センサを動作状態にし、動作状態になった第１センサが原稿を検出したときに、第２センサを動作状態にする。画像読取装置は、待機状態で、第１センサ及び第２センサを非動作状態としておくことが可能となる。【選択図】図３
2009239473.tif 000002
【特許請求の範囲】
【請求項１】
原稿を収容する収容部と、
該収容部における原稿の有無を検出する第１センサと、
前記収容部から取り込まれた原稿が搬送される搬送路と、
該搬送路を搬送される原稿に記録された画像を読み取る読取部と、
前記搬送路中で前記読取部によって画像が読み取られる位置の近傍における原稿の有無を検出する第２センサと、
前記読取部で画像を読み取る処理の開始を指示する開始指示を受け付ける受付部と、
該受付部が開始指示を受け付けた場合に、前記第１センサを動作状態にする第１制御部と、
前記第１センサが原稿を検出した場合に、前記第２センサを動作状態にする第２制御部と
を備えることを特徴とする画像読取装置。
【請求項２】
前記第１センサが原稿を検出しない状態が所定時間継続した場合に、前記第１センサ及び前記第２センサを非動作状態にする第３制御部を更に備えること
を特徴とする請求項１に記載の画像読取装置。
【請求項３】
前記第２センサの状態が原稿を検出した状態から原稿を検出しない状態へ変化した場合であって前記第１センサが原稿を検出していないときに、前記第１センサ及び前記第２センサを非動作状態にする第４制御部を更に備えること
を特徴とする請求項１に記載の画像読取装置。
【発明の詳細な説明】
【技術分野】
【０００１】
本発明は、原稿に記録された画像を読み取る画像読取装置に関し、より詳しくは、消費電力を抑制することができる画像読取装置に関する。
【背景技術】
【０００２】
スキャナ装置、ファクシミリ装置又は複写装置等、原稿に記録された画像を読み取る画像読取装置には、複数の原稿を一枚ずつ自動で取り込んで搬送する自動原稿給送装置を備えたものがある。以下、自動原稿給送装置をＡＤＦ（Auto Document Feeder）という。ＡＤＦは、複数の原稿を積載する原稿トレイと、原稿トレイから取り込んだ原稿を搬送する搬送路とを備えている。画像読取装置は、原稿に記録された画像を光学的に読み取るための読取部を備え、原稿が搬送される搬送路の途中で読取部により画像を読み取る構成となっている。ＡＤＦは、原稿トレイに原稿が積載されたことを検出する第１のセンサを原稿トレイに備え、更に、搬送路中で画像が読み取られる位置の手前の位置に、原稿を検出する第２のセンサを備えている。第２のセンサは、原稿に記録された画像の読み取りを開始するタイミングを調整するためのセンサであり、更に、原稿のジャムを検出するためのセンサをも兼ねている。
【０００３】
これらの多くのセンサは、原稿の存在に応じて動く可動部品と、可動部品の動きを検出する光検出器とを用いて構成されており、センサが原稿を検出するためには光検出器に電力が供給されている必要がある。従来のＡＤＦでは、原稿が供給されたときに原稿を検出するために常にセンサに電力が供給されており、このため、待機電力が大きく、またセンサの寿命が短くなるという問題があった。特許文献１には、センサの寿命を延ばすために、原稿トレイに原稿が積載されたことを検出する第１のセンサが原稿を検出するまで他のセンサへの電力供給を停止しておく技術が開示されている。
【特許文献１】特開２００２−３３８０８３号公報
【発明の開示】
【発明が解決しようとする課題】
【０００４】
特許文献１に開示された技術においては、一部のセンサへの電力供給を停止することができるものの、第１のセンサへは常に電力を供給し続ける必要があるので、ＡＤＦの消費電力を十分抑制することができないという問題がある。また第１のセンサは常に動作しているので、劣化が早い。従って、画像読取装置には第１のセンサの劣化を補正する機能が必要になるという問題がある。
【０００５】
本発明は、斯かる事情に鑑みてなされたものであって、その目的とするところは、待機状態で全てのセンサを停止することにより、消費電力を十分に抑制することができる画像読取装置を提供することにある。
【課題を解決するための手段】
【０００６】
本発明に係る画像読取装置は、原稿を収容する収容部と、該収容部における原稿の有無を検出する第１センサと、前記収容部から取り込まれた原稿が搬送される搬送路と、該搬送路を搬送される原稿に記録された画像を読み取る読取部と、前記搬送路中で前記読取部によって画像が読み取られる位置の近傍における原稿の有無を検出する第２センサと、前記読取部で画像を読み取る処理の開始を指示する開始指示を受け付ける受付部と、該受付部が開始指示を受け付けた場合に、前記第１センサを動作状態にする第１制御部と、前記第１センサが原稿を検出した場合に、前記第２センサを動作状態にする第２制御部とを備えることを特徴とする。
【０００７】
本発明においては、画像読取装置は、複写等の処理の開始指示を受け付けた場合に、収容部での原稿の有無を検出する第１センサを動作状態にし、第１センサが原稿を検出したときに、搬送路中で原稿の有無を検出する第２センサを動作状態にする。この処理を実行することにより、画像読取装置は、待機状態での第１センサ及び第２センサの状態を、電力の供給を遮断された非動作状態としておくことが可能となる。
【０００８】
本発明に係る画像読取装置は、前記第１センサが原稿を検出しない状態が所定時間継続した場合に、前記第１センサ及び前記第２センサを非動作状態にする第３制御部を更に備えることを特徴とする。
【０００９】
また本発明においては、画像読取装置は、第１センサが原稿を検出していない状態が所定時間継続した場合に、第１センサ及び第２センサを非動作状態にする。この処理を実行することにより、画像読取装置は、原稿が無くなって動作している必要性が低くなった第１センサ及び第２センサを非動作状態にする。
【００１０】
本発明に係る画像読取装置は、前記第２センサの状態が原稿を検出した状態から原稿を検出しない状態へ変化した場合であって前記第１センサが原稿を検出していないときに、前記第１センサ及び前記第２センサを非動作状態にする第４制御部を更に備えることを特徴とする。
【００１１】
また本発明においては、画像読取装置は、第２センサの状態が原稿を検出した状態から原稿を検出しない状態へ変化した場合で、しかも第１センサが原稿を検出していないときに、第１センサ及び第２センサを非動作状態にする。第２センサの状態が原稿を検出した状態から原稿を検出しない状態へ変化することは、原稿の終端が第２センサの位置を通過したことに対応する。この処理を実行することにより、画像読取装置は、原稿が無くなって動作している必要性が低くなった第１センサ及び第２センサを非動作状態にする。
【発明の効果】
【００１２】
本発明にあっては、待機状態で第１センサ及び第２センサが電力を消費しないので、画像読取装置は、従来技術に比べてより消費電力を抑制することが可能となる。また第１センサ及び第２センサが動作している時間が短くなるので、第１センサ及び第２センサの劣化が抑制され、画像読取装置はセンサの劣化を補正する機能を必要とせず、画像読取装置の機能を削減することが可能となる。
【００１３】
また本発明にあっては、原稿が無くなって動作している必要性が低くなった場合に第１センサ及び第２センサを非動作状態にすることにより、画像読取装置は、消費電力を削減することが可能となる。
【００１４】
また本発明にあっては、画像読取装置は、原稿が無くなって動作している必要性が低くなった第１センサ及び第２センサをより早い段階で非動作状態にすることができ、より消費電力を削減することが可能となる等、本発明は優れた効果を奏する。
【発明を実施するための最良の形態】
【００１５】
以下本発明をその実施の形態を示す図面に基づき具体的に説明する。
（実施の形態１）
図１は、本発明の画像読取装置の外観を示す模式図である。本発明の画像読取装置は、複写装置であり、使用者が操作することにより各種の指示を受け付ける操作部３０を備えている。操作部３０は、各種のスイッチからなり、複写等の各種の処理を開始することの指示を使用者が入力するためのスタートボタン３０１を備えている。
【００１６】
図２は、画像読取装置の一部の内部構成を示す模式的断面図である。画像読取装置は、ＡＤＦ１と、ＡＤＦ１が搬送する原稿に記録された画像を光学的に読み取る処理を行う読取ユニット２とを備えている。ＡＤＦ１は、複数の原稿が重ねて載置される原稿トレイ（収容部）１１と、画像が読み取られた後の原稿が載置される排紙トレイ１５と、原稿トレイ１１から排紙トレイ１５まで繋がっており、原稿が搬送される搬送路１２とを備えている。原稿トレイ１１は、複数の原稿を載置されることにより複数の原稿を収容することが可能であり、本発明における収容部として機能する。またＡＤＦ１は、原稿トレイ１１に載置された原稿を一枚ずつ搬送路１２へ呼び込む呼び込みローラ１６、呼び込まれた原稿を搬送路１２に沿って搬送する複数対の搬送ローラ１８、及び原稿を排紙トレイ１５へ排出する排紙ローラ１７を備えている。
【００１７】
ＡＤＦ１の搬送路１２の途中には、ＡＤＦ１の下面に開口した開口部分が形成されている。読取ユニット２は、ＡＤＦ１の下方に配置されており、搬送路１２の開口部分に面した位置に、ガラス等の透光性材で構成された窓部２１を備えている。即ち、搬送路１２の途中には、窓部２１が配置されており、搬送路１２内を搬送される原稿は、搬送の途中で窓部２１の上を通過することになる。読取ユニット２は、窓部２１上の原稿に対して窓部２１を通して光を照射する光源２２を備える。光源２２は、冷陰極管又は発光ダイオード等で構成される。また読取ユニット２は、光源２２から原稿へ照射されて原稿で反射した光を反射するミラー２３，２４，２５と、ミラー２５で反射された光を受光し、光電変換を行う読取部２６とを備える。読取部２６は、ＣＣＤ（Charge Coupled Device ）センサ又はＣＭＯＳ（Complementary Metal Oxide Semiconductor）センサ等で構成される。窓部２１上の原稿に対して光源２２が光を照射し、原稿からの反射光を読取部２６が光源変換することにより、読取部２６は、窓部２１上に位置する原稿に記録された画像を読み取る。窓部２１は、原稿に記録された画像が読取部２６に読み取られる位置である。
【００１８】
またＡＤＦ１は、原稿トレイ１１における原稿の有無を検出する第１センサ１３を備えている。第１センサ１３は、原稿の存在に応じて動く可動部品と、可動部品の動きを検出するフォトインタラプタ等の光検出器とを用いて構成されている。原稿トレイ１１に原稿が載置されていない場合は、可動部品は動かず、原稿トレイ１１に原稿が載置されていないことが検出される。原稿トレイ１１に原稿が載置された場合は、可動部品は、原稿に押し上げられる等の方法により、原稿の存在に応じて動作し、光検出器は可動部品の動きを検出し、原稿トレイ１１に原稿が載置されたことが検出される。更にＡＤＦ１は、搬送路１２中で、窓部２１より上流側で窓部２１に近接した位置に、原稿の有無を検出する第２センサ１４を備えている。第２センサ１４は、第１センサ１３と同様の構成となっており、搬送路１２を搬送された原稿に記録された画像を窓部２１上で読み取るタイミングを調整するために利用されるセンサである。なお、第１センサ１３及び第２センサ１４の構成は、光センサで原稿の存在を直接検出する構成等、その他の構成であってもよい。
【００１９】
図３は、実施の形態１に係る画像読取装置の電気的構成を示すブロック図である。画像読取装置は、演算を行うＣＰＵ（Central Processing Unit ）を含んでなる制御部３１を備え、制御部３１は、画像読取装置全体の動作を制御する処理を実行する。制御部３１には、演算に伴う一時的な情報を記憶するＲＡＭ（Random Access Memory）３２、及び画像読取装置を制御するための制御プログラムを記憶しているＲＯＭ（Read Only Memory）３３が接続されている。制御部３１は、ＲＯＭ３３が記憶する制御プログラムに従った情報処理を実行することにより、本発明における第１制御部３１１、第２制御部３１２、第３制御部３１３及び受付部３１５としての処理を実行する。
【００２０】
また制御部３１には、読取部２６、読取部２６が光電変換により取得した電気的データから画像データを生成する画像処理部３４、及び画像データから画像を形成して記録用紙に記録する画像記録部３５が接続されている。画像読取装置では、ＡＤＦ１が搬送する原稿に記録された画像を読取部２６で読み取り、画像処理部３４で画像データを生成し、画像記録部３５で画像を記録する。
【００２１】
また制御部３１には、第１センサ１３、第２センサ１４及び操作部３０が接続されている。第１センサ１３及び第２センサ１４は、検出結果に応じた信号を制御部３１へ出力し、制御部３１は、第１センサ１３及び第２センサ１４から出力された信号に応じた処理を実行する。操作部３０は、複写開始の指示等、各種の指示を使用者の操作により入力され、入力された指示を制御部３１へ入力する。制御部３１は、操作部３０に入力された各種の指示を受け付け、受け付けた指示に応じた処理を実行する。このようにして、制御部３１は、受付部３１５としての処理を実行し、受付部３１５が受け付けた指示に応じた処理を行う第１制御部３１１としての処理を実行する。
【００２２】
更に画像読取装置は、図示しない電源を備えており、制御部３１は、電源から第１センサ１３及び第２センサ１４への電力の供給を制御する処理を行う。制御部３１は、第１センサ１３及び第２センサ１４への電力の供給を遮断することにより、第１センサ１３及び第２センサ１４を非動作状態にする処理を行う。また制御部３１は、電源に第１センサ１３及び第２センサ１４へ電力を供給させることにより、第１センサ１３及び第２センサ１４を動作状態にする処理を行う。画像読取装置が複写を行っていない待機状態では、制御部３１は、第１センサ１３及び第２センサ１４を非動作状態としている。このようにして、制御部３１は、第１センサ１３及び第２センサ１４の動作状態と非動作状態とを切り換える第１制御部３１１、第２制御部３１２及び第３制御部３１３としての処理を実行する。
【００２３】
次に、以上の構成でなる画像読取装置が実行する処理を説明する。図４は、実施の形態１に係る画像読取装置が実行する処理の手順を示すフローチャートである。画像読取装置の制御部３１は、随時、使用者が操作部３０のスタートボタン３０１を押下することによる、原稿の画像を読み取る処理を開始することを指示する開始指示の受付を待ち受けている（Ｓ１１）。開始指示の受付がない場合は（Ｓ１１：ＮＯ）、制御部３１は、開始指示の受付の待ち受けを続行する。開始指示を受け付けた場合は（Ｓ１１：ＹＥＳ）、制御部３１は、電源に第１センサ１３への電力の供給を開始させることにより、第１センサ１３を動作状態にする処理を行う（Ｓ１２）。第１センサ１３は、電源から電力を供給され、原稿トレイ１１における原稿の有無を検出することが可能となる。
【００２４】
制御部３１は、次に、第１センサ１３からの信号に基づいて、第１センサ１３が原稿を検出しているか否かを判定する（Ｓ１３）。使用者により原稿トレイ１１に原稿が載置されている場合は、第１センサ１３により原稿が検出される。第１センサ１３が原稿を検出していない場合は（Ｓ１３：ＮＯ）、制御部３１は、電源から第１センサ１３への電力の供給を遮断することにより、第１センサ１３を非動作状態にし（Ｓ１９）、処理を終了する。
【００２５】
ステップＳ１３で第１センサ１３が原稿を検出している場合は（Ｓ１３：ＹＥＳ）、制御部３１は、電源に第２センサ１４への電力の供給を開始させることにより、第２センサ１４を動作状態にする処理を行う（Ｓ１４）。第２センサ１４は、電源から電力を供給され、画像が読み取られる窓部２１の近傍で原稿の有無を検出することが可能となる。制御部３１は、次に、ＡＤＦ１の呼び込みローラ１６を動作させ、原稿トレイ１１上の一枚の原稿を搬送路１２内へ給紙する処理を行う（Ｓ１５）。搬送路１２内へ給紙された原稿を第２センサ１４が検出し、第２センサ１４での検出結果に従って、制御部３１は読取ユニット２を動作させるタイミングを調整し、読取部２６は画像を読み取る処理を行う。更に画像処理部３４は画像データを生成し、画像記録部３５は画像を記録用紙に記録し、画像の複写が行われる。
【００２６】
制御部３１は、次に、第１センサ１３からの信号に基づいて、一枚の原稿を給紙した後、第１センサ１３が原稿を検出しているか否かを判定する（Ｓ１６）。第１センサ１３が原稿を検出している場合は（Ｓ１６：ＹＥＳ）、制御部３１は、処理をステップＳ１５へ戻し、原稿トレイ１１上の一枚の原稿を搬送路１２内へ給紙する処理を行う。第１センサ１３が原稿を検出していない場合は（Ｓ１６：ＮＯ）、制御部３１は、経過時間をカウントし、第１センサ１３が原稿を検出しない状態となってから予め定められている所定時間が経過したか否かを判定する（Ｓ１７）。所定時間がまだ経過していない場合は（Ｓ１７：ＮＯ）、制御部３１は、処理をステップＳ１６へ戻す。所定時間内に使用者が原稿を原稿トレイ１１に載置した場合は、第１センサ１３は原稿を検出し、複写の処理が続行される。
【００２７】
ステップＳ１７で第１センサ１３が原稿を検出しない状態となってから所定時間が経過している場合は（Ｓ１７：ＹＥＳ）、制御部３１は、電源から第２センサ１４への電力の供給を遮断することにより、第２センサ１４を非動作状態にする（Ｓ１８）。制御部３１は、次に、電源から第１センサ１３への電力の供給を遮断することにより、第１センサ１３を非動作状態にし（Ｓ１９）、処理を終了する。
【００２８】
図５は、実施の形態１における第１センサ１３及び第２センサ１４の動作のタイミングを示すタイミングチャートである。図中の横軸は時間経過を示しており、図中には、上から第１センサ１３の状態、第１センサ１３での検出結果、第２センサ１４の状態、及び第２センサ１４での検出結果を示す。最初の待機状態では、第１センサ１３及び第２センサ１４は非動作状態となっており、原稿の有無を検出することができない。使用者が原稿トレイ１１に原稿を載置したときでも、この状態は変わらない。使用者がスタートボタン３０１を押下したタイミングで、第１センサ１３は動作状態となる。既に原稿が原稿トレイ１１に載置されているので、第１センサ１３は原稿を検出し、第２センサ１４も動作状態となる。このタイミングではまだ原稿が搬送されていないので、第２センサ１４は原稿を検出しない。原稿が給紙されて搬送路１２内を搬送されることにより、第２センサ１４は第１センサ１３から少し遅れたタイミングで原稿を検出する。
【００２９】
原稿が全て給紙されて原稿トレイ１１上に原稿がなくなったタイミングで、第１センサ１３は原稿を検出しなくなる。第２センサ１４は、第１センサ１３から少し遅れたタイミングで、原稿を検出しなくなる。第１センサ１３が原稿を検出しなくなってから所定時間が経過したタイミングで、第１センサ１３及び第２センサ１４が非動作状態となる。
【００３０】
以上詳述した如く、本実施の形態においては、画像読取装置は、画像を読み取る処理の開始指示を受け付けた場合に、第１センサ１３を動作状態にする。また画像読取装置は、動作状態となった第１センサ１３が原稿を検出したときに、第２センサ１４を動作状態とする。画像読取装置は、開始指示を受け付けるまで第１センサ１３を非動作状態にしていたとしても、開始指示を受け付けてから第１センサ１３を動作状態にすることにより、以後の処理を支障無く実行することが可能である。従って、画像読取装置は、動作に支障を来すこと無く、待機状態での第１センサ１３及び第２センサ１４の状態を、電力の供給を遮断された非動作状態としておくことが可能となる。待機状態で第１センサ１３及び第２センサ１４が電力を消費しないので、画像読取装置は、従来技術に比べてより消費電力を抑制することが可能となる。また第１センサ１３及び第２センサ１４が動作している時間が短くなるので、第１センサ１３及び第２センサ１４の劣化が抑制される。従って、画像読取装置は、センサの劣化を補正する機能を必要とせず、画像読取装置の機能を削減することができる。
【００３１】
また本実施の形態に係る画像読取装置は、第１センサ１３が原稿を検出していない状態が所定時間継続した場合に、第１センサ１３及び第２センサ１４を、電力の供給が遮断された非動作状態にする。第１センサ１３が原稿トレイ１１上の原稿を検出しない状態が継続しているということは、画像読取装置で画像を読み取るべき原稿がもうない可能性が高く、第１センサ１３及び第２センサ１４が動作している必要性は低い。必要性が低い第１センサ１３及び第２センサ１４を非動作状態にすることにより、画像読取装置は、消費電力を削減することが可能となる。
【００３２】
（実施の形態２）
図６は、実施の形態２に係る画像読取装置の電気的構成を示すブロック図である。画像読取装置は、制御部３１を備え、制御部３１は、ＲＯＭ３３が記憶する制御プログラムに従った情報処理を実行することにより、本発明における第４制御部３１４としての処理を実行する。画像読取装置のその他の電気的構成は実施の形態１と同様であり、対応する部分に同符号を付してその説明を省略する。
【００３３】
図７は、実施の形態２に係る画像読取装置が実行する処理の手順を示すフローチャートである。画像読取装置の制御部３１は、随時、使用者が操作部３０のスタートボタン３０１を押下することによる開始指示の受付を待ち受けている（Ｓ２１）。開始指示の受付がない場合は（Ｓ２１：ＮＯ）、制御部３１は、開始指示の受付の待ち受けを続行する。開始指示を受け付けた場合は（Ｓ２１：ＹＥＳ）、制御部３１は、電源に第１センサ１３への電力の供給を開始させることにより、第１センサ１３を動作状態にする（Ｓ２２）。制御部３１は、次に、第１センサ１３からの信号に基づいて、第１センサ１３が原稿を検出しているか否かを判定する（Ｓ２３）。第１センサ１３が原稿を検出していない場合は（Ｓ２３：ＮＯ）、制御部３１は、電源から第１センサ１３への電力の供給を遮断することにより、第１センサ１３を非動作状態にし（Ｓ２９）、処理を終了する。
【００３４】
ステップＳ２３で第１センサ１３が原稿を検出している場合は（Ｓ２３：ＹＥＳ）、制御部３１は、電源に第２センサ１４への電力の供給を開始させることにより、第２センサ１４を動作状態にする処理を行う（Ｓ２４）。制御部３１は、次に、ＡＤＦ１の呼び込みローラ１６を動作させ、原稿トレイ１１上の一枚の原稿を搬送路１２内へ給紙する処理を行う（Ｓ２５）。給紙された原稿は読取部２６に画像を読み取られ、画像の複写が行われる。制御部３１は、次に、第２センサ１４からの信号に基づいて、原稿の終端が搬送路１２中で第２センサ１４の位置を通過することを待ち受ける（Ｓ２６）。制御部３１は、原稿の終端が第２センサ１４の位置を通過したことを、第２センサ１４での原稿の検出結果が原稿を検出した状態から原稿を検出しない状態へ変化することによって検出することができる。
【００３５】
原稿の終端が第２センサ１４の位置を通過したことを検出できない場合は（Ｓ２６：ＮＯ）、制御部３１は、待ち受けを続行する。原稿の終端が第２センサ１４の位置を通過したことを検出した場合は（Ｓ２６：ＹＥＳ）、制御部３１は、次に、第１センサ１３からの信号に基づいて、一枚の原稿を給紙した後、第１センサ１３が原稿を検出しているか否かを判定する（Ｓ２７）。第１センサ１３が原稿を検出している場合は（Ｓ２７：ＹＥＳ）、制御部３１は、処理をステップＳ２５へ戻し、原稿トレイ１１上の一枚の原稿を搬送路１２内へ給紙する処理を行う。第１センサ１３が原稿を検出していない場合は（Ｓ２７：ＮＯ）、制御部３１は、電源から第２センサ１４への電力の供給を遮断することにより、第２センサ１４を非動作状態にする（Ｓ２８）。制御部３１は、次に、電源から第１センサ１３への電力の供給を遮断することにより、第１センサ１３を非動作状態にし（Ｓ２９）、処理を終了する。
【００３６】
図８は、実施の形態２における第１センサ１３及び第２センサ１４の動作のタイミングを示すタイミングチャートである。図中の横軸は時間経過を示しており、図中には、上から第１センサ１３の状態、第１センサ１３での検出結果、第２センサ１４の状態、及び第２センサ１４での検出結果を示す。使用者が原稿トレイ１１に原稿を載置したときは、第１センサ１３及び第２センサ１４は非動作状態となっている。使用者がスタートボタン３０１を押下したタイミングで、第１センサ１３は動作状態となり、第１センサ１３は原稿を検出し、第２センサ１４も動作状態となる。原稿が給紙されて搬送路１２内を搬送されることにより、第２センサ１４は第１センサ１３から少し遅れたタイミングで原稿を検出する。
【００３７】
原稿が全て給紙されて原稿トレイ１１上に原稿がなくなったタイミングで、第１センサ１３は原稿を検出しなくなる。第２センサ１４は、第１センサ１３から少し遅れたタイミングで、原稿を検出しなくなる。第１センサ１３は原稿を検出しなくなっても、第２センサ１４の位置を原稿が通過している間は、第２センサ１４は原稿を検出し続ける。最後の原稿の終端が搬送路１２中で第２センサ１４の位置を通過したタイミングで、第２センサ１４は、原稿を検出した状態から原稿を検出しない状態へ変化する。このとき、第１センサ１３は原稿を検出していないので、第１センサ１３及び第２センサ１４は非動作状態となる。
【００３８】
以上詳述した如く、本実施の形態においても、画像読取装置は、待機状態での第１センサ１３及び第２センサ１４の状態を非動作状態としておくことが可能であり、消費電力を抑制することが可能となる。また本実施の形態に係る画像読取装置は、原稿の終端が搬送路１２中で第２センサ１４の位置を通過した場合で、しかも第１センサ１３が原稿を検出していないときに、第１センサ１３及び第２センサ１４を、電力の供給が遮断された非動作状態にする。原稿の終端が搬送路１２中で第２センサ１４の位置を通過したということは、第２センサ１４が検出すべき原稿が搬送路１２中にないということである。この状態で第１センサ１３が原稿トレイ１１上の原稿を検出しないということは、搬送路１２へ給紙される原稿もないということであり、第２センサ１４が動作している必要性は低い。また原稿が給紙されてから原稿の終端が第２センサ１４の位置を通過するまで第１センサ１３が原稿トレイ１１上の原稿を検出しないということは、画像読取装置で画像を読み取るべき原稿がもうない可能性が高く、第１センサ１３が動作している必要性は低い。必要性が低い第１センサ１３及び第２センサ１４を非動作状態にすることにより、画像読取装置は、消費電力を削減することが可能となる。本実施の形態に係る画像読取装置は、実施の形態１に比べてより早い段階で第１センサ１３及び第２センサ１４を非動作状態にすることができるので、より消費電力を削減することができる。
【００３９】
なお、以上の実施の形態１及び２においては、本発明の画像読取装置が複写装置である形態を示したが、本発明の画像読取装置は、これに限るものではなく、スキャナ装置、ファクシミリ装置又は複合機であってもよい。また実施の形態１及び２においては、本発明の画像読取装置がＡＤＦ１と読取ユニット２とを備えた形態を示したが、本発明の画像読取装置は、これに限るものではなく、ＡＤＦ１及び読取ユニット２が一体となった構成を備える形態であってもよい。またまた実施の形態１及び２においては、本発明における収容部が原稿トレイ１１である形態を示したが、本発明における収容部は、複数の原稿を収容する箱型の収容部等、トレイ以外の形態であってもよい。また実施の形態１及び２においては、操作部３０に入力された指示を受付部３１５が受け付ける形態を示したが、本発明は、外部からの情報を受信する通信部が受信した指示を受付部３１５が受け付ける形態等、その他の方法で指示を受け付ける形態であってもよい。
【図面の簡単な説明】
【００４０】
【図１】本発明の画像読取装置の外観を示す模式図である。
【図２】画像読取装置の一部の内部構成を示す模式的断面図である。
【図３】実施の形態１に係る画像読取装置の電気的構成を示すブロック図である。
【図４】実施の形態１に係る画像読取装置が実行する処理の手順を示すフローチャートである。
【図５】実施の形態１における第１センサ及び第２センサの動作のタイミングを示すタイミングチャートである。
【図６】実施の形態２に係る画像読取装置の電気的構成を示すブロック図である。
【図７】実施の形態２に係る画像読取装置が実行する処理の手順を示すフローチャートである。
【図８】実施の形態２における第１センサ及び第２センサの動作のタイミングを示すタイミングチャートである。
【符号の説明】
【００４１】
１  ＡＤＦ
１１  原稿トレイ
１２  搬送路
１３  第１センサ
１４  第２センサ
２  読取ユニット
２１  窓部
２６  読取部
３０  操作部
３０１  スタートボタン
３１  制御部
３１１  第１制御部
３１２  第２制御部
３１３  第３制御部
３１４  第４制御部
３１５  受付部
【図１】
2009239473.tif 000003
【図２】
2009239473.tif 000004
【図３】
2009239473.tif 000005
【図４】
2009239473.tif 000006
【図５】
2009239473.tif 000007
【図６】
2009239473.tif 000008
【図７】
2009239473.tif 000009
【図８】
2009239473.tif 000010